(57)【要約】【課題】ローマンシェードの安全紐を提供する。【解決手段】本発明は主にローマンシェードの安全紐を提供する。それは、シェードと制御紐部を備えるローマンシェードの安全紐であって、前記シェードは、上から下方向に等間隔に適当な区間を折り返して結合辺を形成するか、或いは両面同時に結合辺を備えさせるものであり、結合辺には複数の制御紐部を縫製して固定する。前記制御紐部は、連結部及び紐接合部を有し、前記連結部と紐接合部の一方は共用端である。前記連結部はシェードの結合辺に縫製して固定し、紐接合部内に貫設する引張紐は紐接合部内で自由に動くことができ、並びに、紐接合部に設けた極小間隔の連結紐体によって制限される。これにより、制御紐部の連結部をシェードに縫製して固定させ、紐接合部に貫設する引張紐は極小間隔の連結紐体に制限されるため、引張紐は簡単に引っ張り出せなくなり、使用上の安全性を高めることができる。【選択図】図１
2014194149.tif 000002
【特許請求の範囲】
【請求項１】
シェードと制御紐部を備えるローマンシェードの安全紐であって、
前記シェードは、上から下方向に等間隔に適当な区間を折り返して結合辺を形成するか、或いは両面同時に結合辺を備えさせるものであり、
前記制御紐部は、連結部及び紐接合部を有し、
前記連結部は第一紐体、第二紐体、第三紐体を備え、並びに、複数の固着紐体を第一紐体、第二紐体、第三紐体に結合し固定し、
前記紐接合部の第一紐体と第四紐体は横方向に配列する複数の連結紐体を設け、並びに、複数の連結紐体の端部は互いに固定して結合し、引張紐を複数の連結紐体間に貫設し、  前記連結部と前記紐接合部は第一紐体を共用し、
前記連結部はシェードの結合辺に縫製して固定し、引張紐は複数の連結紐体間に可動端を形成し、複数の連結紐体の間隔が小さいため、引張紐を引っ張り出すことは難しいことを特徴とするローマンシェードの安全紐。
【請求項２】
前記制御紐部は製織方式によって同時に編まれて完成することを特徴とする請求項１に記載のローマンシェードの安全紐。
【請求項３】
前記複数の固着紐体は製織方式によって第一紐体、第二紐体、及び第三紐体を固定することを特徴とする請求項１に記載のローマンシェードの安全紐。
【請求項４】
前記連結部は第一紐体、第二紐体、及び第三紐体を連続的に跨がせて結合辺に縫製して固定することを特徴とする請求項１に記載のローマンシェードの安全紐。
【請求項５】
前記引張紐は第一紐体と第四紐体間の連結紐体間に交差して貫設させることを特徴とする請求項１に記載のローマンシェードの安全紐。
【請求項６】
複数の連結紐体は環状体形態で設置し、引張紐は環状体形態で設置した連結紐体間に貫設し、環状体は引張紐をその中で自由に動かせる大きさであることを特徴とする請求項１に記載のローマンシェードの安全紐。
【発明の詳細な説明】
【技術分野】
【０００１】
本発明はローマンシェードの安全紐に関し、特にローマンシェードの引張紐を制御する技術分野に係る。
【背景技術】
【０００２】
公知のローマンシェードの引張紐構造には特許文献１に開示されたような構造がある。これは、図６に示したような公知のローマンシェードであり、上梁６０の下方に固着したシェード６１を含む。シェード６１の複数の接合辺６２には複数のリング８０を固着し、引張紐７０の一端には下梁を固着し、別の一端は下から上方向に上梁６０まで各リング８０を一つ一つ貫通させ、さらに上梁６０内に設けた伝動機構を外側の引張紐７４に接続することでローマンシェードを構成する。使用者が外側の引張紐７４を引っ張り動かして引張紐７０を牽引させると、引張紐７０はシェード６１を従動して開いた状態或いは閉じた状態となる。しかし、引張紐７０はリング８０内が自由端であるため、シェード６１上に設けた複数の接合辺６２の二つの間の距離が比較的大きく、引張紐７０はシェード６１の外側に露出する。使用者、特に子供が遊んでいる間に、図７に示したように引張紐７０をかなり長く引っ張り出してしまった場合、伝動紐が首に引っ掛かる等の不注意な事故が発生することもあり、安全性の問題が残る。
【０００３】
前述した安全性の問題を解決するため、図８に示した公知のローマンシェードの引張紐では、縦方向の二本の紐体７１を設け、横方向に設けた複数の連接紐７２を二本の紐体７１に連接させて固定する。引張紐７０は各連接紐７２に交差するように貫設し、その間に貫設するリング８０にぶつかったなら、一つ一つのリング８０に貫設する。これにより、引張紐７０が引っ張り出される比率が若干減少するが、この組立ては繁雑であり、その便利性を低下させている。
【０００４】
図９に示した公知のローマンシェードの引張紐の構造は、引張紐７０の外側に保護カバー７３を嵌設し、各リング８０にそれぞれを嵌設させ、緊束部材８１を用いて保護カバー７３をリング８０上に緊束し固定している。引張紐７０を保護カバー７３の中に貫設し、引っ張り出される引張紐７０の長さを制限して、二つのリング８０が設置する距離に相当させ、これによって、引張紐７０が引っ張り出される長さを制限する。引張紐７０が過度に引っ張り出されて首に巻きつく危険性を防ぐことができるが、その構成部材が多過ぎるため、組立て工程が非常に多く便利性を低下させる問題点が残る。
【先行技術文献】
【特許文献】
【０００５】
【特許文献１】米国特許第８，３１６，９１１号明細書
【発明の概要】
【発明が解決しようとする課題】
【０００６】
公知のローマンシェードの使用上における安全性及び組立ての便利性に欠ける欠点に鑑み、本発明はローマンシェードの安全紐を完成させた。
【課題を解決するための手段】
【０００７】
本発明の提供するローマンシェードの安全紐は、シェードと制御紐部を備える。前記シェードは、上から下方向に等間隔に適当な区間を折り返して結合辺を形成するか、或いは両面同時に結合辺を備えさせる。前記制御紐部は連結部及び紐接合部を有し、前記連結部は第一紐体、第二紐体、第三紐体を備え、並びに、複数の固着紐体を第一紐体、第二紐体、第三紐体に結合し固定する。前記紐接合部の第一紐体と第四紐体は横方向に配列する複数の連結紐体３３を設ける。また、複数の連結紐体の端部は互いに固定して結合し、引張紐を複数の連結紐体間に貫設し、連結部と紐接合部は第一紐体を共用する。連結部はシェードの結合辺に縫製して固定し、引張紐は複数の連結紐体間に可動端を形成する。複数の連結紐体の間隔が小さいため、引張紐を引っ張り出すことは難しい。
【０００８】
制御紐部は製織方式によって同時に編まれて完成する。
複数の固着紐体は製織方式によって第一紐体、第二紐体、及び第三紐体を固定する。
連結部は第一紐体、第二紐体、及び第三紐体を連続的に跨がらせて結合辺に縫製して固定する。
引張紐は第一紐体と第四紐体間の連結紐体間に交差して貫設させる。
複数の連結紐体は環状体形態で設置し、引張紐は環状体形態で設置した連結紐体間に貫設し、環状体は引張紐をその中で自由に動かせる大きさである。
【発明の効果】
【０００９】
本発明のローマンシェードの安全紐は次の効果を有する。
（1）使用上の安全性が高い：引張紐を第一紐体と第四紐体の連結紐体間に交差させて設置し、各連結紐体間の間隔は一般の児童の指よりも小さいため、児童が遊んでいる時に誤って引張紐を引っ張り出し危険を発生させる状況を防ぐことができる。
（2）組立上の利便性が高い：制御紐部は製織方式で一体に完成させるため、組立て時にはただ制御紐部をシェードに縫製するだけでよく、その他の備品を組み合わせる必要がない。複数の組立ての流れを簡略化し、組立時間を短縮するため、組立上の利便性が高い。
【図面の簡単な説明】
【００１０】
【図１】本発明ローマンシェードの安全紐によるシェードを結合し組み合わせた状態を示す立体図である。
【図２】本発明ローマンシェードの安全紐による制御紐部を示す立体図である。
【図３】本発明ローマンシェードの安全紐による制御紐部の製織平面状態を示す図である。
【図４】本発明ローマンシェードの安全紐の使用操作状態を示す図である。
【図５】本発明ローマンシェードの安全紐による制御紐部をシェードに結合した状態を示す拡大図である。
【図６】公知のローマンシェードの引張紐の組立状態を示す立体図である。
【図７】図６を使用時に引張紐が危険な状態を引き起こした事を示す図である。
【図８】公知のローマンシェードの引張紐を組み立てた状態を示す第二図である。
【図９】公知のローマンシェードの引張紐を組み立てた状態を示す第三図である。
【発明を実施するための形態】
【００１１】
以下に本発明の技術内容、構造特徴、達成する目的及び作用効果について、以下に例を挙げ並びに図面を組み合わせて詳細に説明する。
【００１２】
図１及び図２には本発明のローマンシェードの安全紐をシェードに結合して取り付けた状態と、制御紐部を示す立体図を示す。それは次の構成要素を含む。
制御紐部１０は連結部２０及び紐接合部３０を有し、前記連結部２０は第一紐体２１、第二紐体２２、第三紐体２３、固着紐体２４によって構成される。前記固着紐体２４は横に跨り第一紐体２１、第二紐体２２、第三紐体２３に結合し固定される。前記紐接合部３０は第一紐体２１、第四紐体３１、引張紐３２、及び連結紐体３３によって構成され、前記連結紐体３３の端部は第一紐体２１と第四紐体３１の間に固着し、引張紐３２を動作させる可動端を形成し、並びに、引張紐３２は交差形態で連結紐体３３に貫設し、前記第一紐体２１は連結部２０と紐接合部３０に共同で使用させる。
【００１３】
制御紐部１０は製織方式で結合し固定する。即ち、第三紐体２３は横方向の固着紐体２４を引っ張り出し、固着紐体２４は更に第二紐体２２と第一紐体２１に固定させ、第四紐体３１は横方向の連結紐体３３を引っ張り出し、連結紐体３３は更に第一紐体２１と固定させ、引張紐３２は製織すると同時に連結紐体３３間に貫設し、複数の連結紐体３３間の間隔を調整することができる。
前記を結合させることにより、本発明のローマンシェードの安全紐が完成する。
【００１４】
図１〜図５に示すとおり、シェード５０は上梁４０の下端に結合し、上から下方向に等間隔に適当な区間を折り返して結合辺５１を形成するか、或いは両面同時に結合辺５１を備えさせる。第一紐体２１、第二紐体２２、及び第三紐体２３を跨らせて制御紐部１０の連結部２０を複数の結合辺５１に縫製して固定する。この縫製結合区間５２はただ連結部２０だけを複数の結合辺５１上に縫製し固定する。また、固着紐体２４は第一紐体２１、第二紐体２２、及び第三紐体２３を結合して固定し、連結部２０を形成する。これにより、連結部２０は比較的大きな引張応力を形成する。引張紐３２は、第一紐体２１と第四紐体３１の連結紐体３３間に交差して貫設し、第一紐体２１と第四紐体３１は連結紐体３３の端部に相互に固定し結合する。複数の制御紐部１０をそれぞれ上梁４０内に固着し、尚且つ複数の連結部２０をシェード５０の複数の結合辺５１に縫製し固定する。これにより、制御紐部１０をコントロール操作する際、引張紐３２は第一紐体２１と第四紐体３１間の複数の連結紐体３３の極小の間隔の制限を受けるため、使用者は引張紐３２を直接引っ張ることが難しく、引張紐３２は簡単に引っ張り出されることもない。よって、危険要素の発生を防ぎ、使用において好ましい安全性と便利性が発揮される。
【００１５】
本発明のローマンシェードの安全紐において、制御紐部１０の連結部２０と紐接合部３０は製織された時に同時に完成する。連結紐体３３の端部はそれぞれ第一紐体２１と第四紐体３１に結合し固定され、引張紐３２が製織される時、連結紐体３３の間を貫設し、複数の連結紐体３３間の間隔はニーズに応じて製織時に調整できる。二つの連結紐体３３間の間隔は等間隔でも不等間隔でもよい。その間隔は引張紐が簡単に引っ張り出せない間隔とし、効果的に引張紐体を制限する。前記間隔は一般の児童の指の大きさより小さいものとし、児童が遊んでいた時に引張紐３２をうっかりと引っ張り出し、引張紐３２が首に絡まるような事故を防ぐことができる。
【００１６】
また、連結紐体３３は環状体として設置してもよい。その環状体の大きさはちょうど引張紐３２を自由に動かせる大きさであり、各環状体の間隔は大きすぎないものとする。このように引張紐３２を効果的に制限することにより、簡単に引っ張り出すことが難しくなり、危険の発生を防ぐことができ、並びに、引張紐３２を引っ張りコントロールする操作の安定性と本発明のマルチ的使用性を高めることができる。
【００１７】
本発明の長所は次のとおりである。
（1）使用上の安全性が高い：引張紐を第一紐体と第四紐体の連結紐体間に交差させて設置し、各連結紐体間の間隔は一般の児童の指よりも小さいため、児童が遊んでいる時に誤って引張紐を引っ張り出し危険を発生させる状況を防ぐことができる。
（2）組立上の利便性が高い：制御紐部は製織方式で一体に完成させるため、組立て時にはただ制御紐部をシェードに縫製するだけでよく、その他の備品を組み合わせる必要がない。複数の組立ての流れを簡略化し、組立時間を短縮するため、組立上の利便性が高い。
【符号の説明】
【００１８】
１０          制御紐部
２０          連結部
２１          第一紐体
２２          第二紐体
２３          第三紐体
２４          固着紐体
３０          紐接合部
３１          第四紐体
３２          引張紐
３３          連結紐体
４０          上梁
５０          シェード
５１          結合辺
５２          縫製結合区間
６０          上梁
６１          シェード
６２          接合辺
７０          引張紐
７１          紐体
７２          連接紐
７３          保護カバー
７４          外側の引張紐
８０          リング
８１          緊束部材
【図１】
2014194149.tif 000003
【図２】
2014194149.tif 000004
【図３】
2014194149.tif 000005
【図４】
2014194149.tif 000006
【図５】
2014194149.tif 000007
【図６】
2014194149.tif 000008
【図７】
2014194149.tif 000009
【図８】
2014194149.tif 000010
【図９】
2014194149.tif 000011